(57)【要約】【課題】所定の複数のチャンネルを対象にしてパラメータを連動させて調整できるようにする。【解決手段】ビデオミキシング装置は、複数の入力チャンネルｃｈ１〜ｃｈ４を具えるミキシング部１と、制御部２から成る。各種設定操作子２４は、各チャンネルｃｈ１〜ｃｈ４毎に設けられ各チャンネル毎のパラメータ調整を行う調整操作子を含む。対象範囲選択操作子２５は、  所定の複数のチャンネルを対象にしてパラメータを連動させて調整するか否かの選択を行う。制御部２は、対象範囲選択操作子２５がオン操作された場合は、所定の複数のチャンネルについてのパラメータを連動させるように調整する制御を行い、オフ操作された場合は、複数のチャンネルについてのパラメータを各チャンネル毎の調整操作子で個別に調整させるよう制御する。【選択図】      図１
2004282367.tif 000002
【特許請求の範囲】
【請求項１】
入力された信号をパラメータを用いて処理するチャンネルを複数具備する信号処理装置において、
各チャンネル毎の前記パラメータを個別に調整するために、各チャンネル毎に設けられた調整操作子と、
所定の複数のチャンネルを対象にしてパラメータを連動させて調整するか否かの選択を行うための選択操作子と、
前記選択操作子で所定の複数のチャンネルを対象にしてパラメータを連動させて調整する処理が選択された場合は、前記所定の複数のチャンネルについての前記パラメータを連動させるように調整する制御を行い、前記選択操作子で所定の複数のチャンネルを対象にしてパラメータを連動させて調整する処理が選択されていない場合は、前記所定の複数のチャンネルについての前記パラメータを各チャンネル毎の前記調整操作子で個別に調整させるよう制御する制御手段と
を具える信号処理装置。
【請求項２】
前記選択操作子で所定の複数のチャンネルを対象にしてパラメータを連動させて調整する処理が選択された場合に前記制御手段が行う前記制御は、前記所定の複数のチャンネルのうちいずれかのチャンネルの前記調整操作子が操作されることに応じて、該所定の複数のチャンネルの前記パラメータの値を連動させるよう調整する制御であることを特徴とする請求項１に記載の信号処理装置。
【請求項３】
前記選択操作子で所定の複数のチャンネルを対象にしてパラメータを連動させて調整する処理が選択された場合に前記制御手段が行う前記制御は、前記所定の複数のチャンネルのうちいずれかのチャンネルの前記調整操作子が操作されたとき、該操作された調整操作子によって調整された値になるように、該所定の複数のチャンネルの前記パラメータの値を共通化するよう調整する制御であることを特徴とする請求項１に記載の信号処理装置。
【発明の詳細な説明】
【０００１】
【発明の属する技術分野】
この発明は、複数の入力信号をミキシング処理するための信号処理装置に関し、詳しくは、複数の入力信号に対する各種パラメータ設定値の調整制御に関する技術であって、例えば、複数の映像信号をミキシング処理するためのビデオミキシング装置に適用されるものである。
【０００２】
【従来の技術】
【特許文献１】特開２００２‐２６２１７９号
上記特許文献１においては、複数チャンネルから入力された映像信号のリアルタイムでのミキシングが可能なビデオミキシング装置が開示されている。この種の従来装置においては、例えば３チャンネル以上のチャンネルから入力された複数の映像信号の各々に対して、効果付与、表示サイズ制御、映像合成比率の設定等といった各種パラメータ設定を各チャンネル毎に個別に行い、該複数の映像信号をリアルタイムでミキシングをすることができた。
【０００３】
【発明が解決しようとする課題】
上記特許文献１に記載の装置等の従来から知られるミキシング装置は、各種パラメータ設定を各チャンネル毎に独立して行うべく、各種パラメータ設定用の操作子が個々のチャンネルに対応して備えられている。
ところで、複数の映像信号のミキシングを行うに際して、例えば、現在出力中の（つまりミキシングしている）複数の映像信号に対して、共通したパラメータ設定を一括に施したい場合がある。そのような場合、従来の装置では、複数のチャンネルに対して共通なパラメータ設定を行うために、個々のチャンネル毎に設けられたパラメータ設定用操作子を一つずつ同じ設定位置になるよう操作することで、複数のチャンネルに対して共通な値を設定しなければならなかったので、調整に時間がかかり、面倒であった。また、複数のチャンネルで共通のパラメータ設定を施すための専用の操作子を別途設けることも考えられるが、そうすると、操作子の点数が増加してしまい、設置スペースを広くとらねばならず装置が大型化してしまうし、部品コストが嵩んでしまう。
【０００４】
この発明は、上記の点に鑑みてなされたもので、複数のチャンネルを対象にして同種機能のパラメータを連動させて調整しうる信号処理装置を提供しようとするものである。
【０００５】
【課題を解決するための手段】
この発明は、入力された信号をパラメータを用いて処理するチャンネルを複数具備する信号処理装置において、各チャンネル毎の前記パラメータを個別に調整するために、各チャンネル毎に設けられた調整操作子と、所定の複数のチャンネルを対象にしてパラメータを連動させて調整するか否かの選択を行うための選択操作子と、前記選択操作子で所定の複数のチャンネルを対象にしてパラメータを連動させて調整する処理が選択された場合は、前記所定の複数のチャンネルについての前記パラメータを連動させるように調整する制御を行い、前記選択操作子で所定の複数のチャンネルを対象にしてパラメータを連動させて調整する処理が選択されていない場合は、前記所定の複数のチャンネルについての前記パラメータを各チャンネル毎の前記調整操作子で個別に調整させるよう制御する制御手段とを具える信号処理装置である。
【０００６】
【発明の実施の形態】
以下添付図面を参照して、この発明の一実施例について説明する。以下に説明する実施例では、一例として、この発明に係るミキシング装置を映像信号のミキシングを行うためのビデオミキシング装置に適用した例を示す。
図１は、この実施例に係るビデオミキシング装置のシステム構成例を示すブロック図であり、図２は図１に示すビデオミキシング装置の操作パネルの外観を示す概略図である。図１において、当該ビデオミキシング装置は、大別して、映像信号のミキシングを行うミキシング部１と、これを制御する制御部２から構成される。ミキシング部１は、複数の映像供給源（例えばビデオカメラ等）から供給される映像信号を入力するための入力端子Ｐ１〜Ｐ４を複数（この例では４つ）具える。各入力端子Ｐ１〜Ｐ４から入力された映像信号は、複数（この例では４つ）の映像処理チャンネルｃｈ１〜ｃｈ４の各々に対して個別に供給される。各チャンネルｃｈ１〜ｃｈ４には、夫々、入力端子選択スイッチ１０（図において便宜上ｃｈ１にのみ符号をつけた）が設けられており、各チャンネル毎に独立して各自が接続する入力端子Ｐ１〜Ｐ４を選択可能である。各チャンネルｃｈ１〜ｃｈ４では、個別に選択した１つの入力端子Ｐ１乃至Ｐ４から供給される映像信号を各自取り込んで、取り込んだ映像信号に対して個々のチャンネル毎に効果付与等の加工・処理を施す。出力端子ｏｕｔからは、各チャンネルｃｈ１〜ｃｈ４から出力される映像信号が各チャンネル毎の加工・処理に従って適切にミキシングされたミキシング出力が出力される。
【０００７】
制御部２は、ミキシング部１における映像合成処理や効果付与等の各種処理を制御するもので、ＣＰＵ２０と、ＲＯＭ２１と、ＲＡＭ２２と、記憶部２３と、パラメータ調整用の操作子群を含む各種操作子２４と、対象範囲選択操作子（Ｅｆ  ＡＬＬ）２５と、表示装置２６等を有し、各装置間がバス２７を介して接続される。また、このバス２７を介してミキシング部１と制御部２とがデータ授受可能に接続される。ＣＰＵ２０は、ＲＯＭ２１あるいはＲＡＭ２２等メモリ内に記憶された、当該ミキシング装置の駆動用プログラム等、各種プログラムを実行して装置の全体的な動作制御を行い、また、ミキシング部１にて取り込んだ映像信号に対して操作者による各種設定・操作に基づく映像ミキシング制御を行う。各種操作子２４は、各チャンネルｃｈ１〜ｃｈ４に取り込んだ映像信号をミキシング（映像合成）する際に用いる各種パラメータや、映像信号に対して各種効果を付与する際に用いる効果付与パラメータ等を設定するための各種スイッチを含んで構成されるもので、図２に例示すように、ミキシング装置の操作パネル上には、ボタン式、ダイヤル式、フェーダ式の操作子が複数配置される。記憶部２３には、各チャンネルｃｈ１〜ｃｈ４における複数の操作子の設定状態（つまり各種パラメータの設定値）を１つのシーンとして、所定のシーン記憶領域に記憶することができ、ここに記憶されたシーンデータを読み出すことで、例えばプリセットされたパラメータ設定状態や操作者が設定したパラメータ設定状態等、読み出したシーンに応じた各種パラメータの設定状態を再現することができる。なお、この機能を「シーン読み出し」という。また、記憶部２３に当該装置の駆動用プログラムを記憶させてもよい。表示装置２６は、各チャンネルｃｈ１〜ｃｈ４毎に取り込んだ各映像や、これらをミキシングした映像（ミキシング出力）等を、画面表示する。また、この表示装置２６に各種パラメータの設定状態やＣＰＵ２０の制御状態等を表示させることもできる。
【０００８】
対象範囲選択操作子（Ｅｆ  ＡＬＬ）２５は、各チャンネルｃｈ１〜ｃｈ４毎に設定される各種パラメータの設定値を、複数のチャンネルに対して連動させて調整するか否かの選択を行うための操作子である。詳しくは後述するが、この対象範囲選択操作子（Ｅｆ  ＡＬＬ）２５をオン状態にすることで、チャンネルｃｈ１〜ｃｈ４のうち何れか１つに対して施したパラメータ設定に連動させて、他の全てのチャンネルｃｈ１〜ｃｈ４におけるパラメータ設定値を調整するよう制御される。複数のチャンネルｃｈ１〜ｃｈ４を対象にパラメータ設定値を連動して調整できるようにすることで、例えば、全てのチャンネルｃｈ１〜ｃｈ４におけるパラメータ設定値を一括して共通化して調整することが可能となる。
【０００９】
各チャンネルｃｈ１〜ｃｈ４は夫々同様な構成要素からなるものであり、チャンネルｃｈ１を一例にその構成例を説明する。チャンネルｃｈ１は、入力端子Ｐ１〜Ｐ４のうちから映像を取り込む（接続する）入力端子を選択する入力端子選択スイッチ１０と、画質制御部１１と、画像配置制御部１２と、映像映しこみレベル調整用の操作子１３と、映像オン・オフスイッチ１４と、クロスフェーダ割り当てスイッチ１５を有する。画質制御部１１において、チャンネルｃｈ１に取り込まれた映像信号に対して、各種効果（エフェクト）付与等を含む画質制御を行う。画像配置制御部１２において、チャンネルｃｈ１に取り込まれた映像信号に対して、ディスプレイ上の表示位置、表示サイズ等を設定・制御する。画質制御部１１及び画像配置制御部１２における各種パラメータ値の設定や、各種機能（映像信号に付与する効果の種類等）の選択は、各種操作子２４に含まれる操作子群によって、個別のチャンネルｃｈ１〜ｃｈ４毎に指示される。映像オン・オフスイッチ１４は、各チャンネル毎に設けられた当該映像信号の出力オン・オフ（要するに、ミキシング出力として出力するか否か）を切り替える。クロスフェーダ割り当てスイッチ１５は、クロスフェード部１６Ａ、１６Ｂ又はスルー（ｔｈｒｏｕｇｈ）の何れかの接続を選択するもので、各チャンネルｃｈ１〜ｃｈ４で処理された映像信号をクロスフェード合成して出力するか（且つ、その際にフェードインとするかフェードアウトとするか）あるいは、そのまま出力するかスルー）の選択を行う。
各チャンネルｃｈ１〜ｃｈ４から出力される映像信号が、クロスフェード部１６Ａ又は１６Ｂを介して出力される場合は、クロスフェード部１６Ａ又は１６Ｂでの設定に基づき、複数映像信号の表示切り替えを制御するクロスフェード処理が施されて、該クロスフェード処理されたミキシング出力が出力端子ｏｕｔから出力される。
【００１０】
図２を参照して、各チャンネルｃｈ１〜ｃｈ４に対応して設けられた各種操作子２４の具体例について説明する。なお、図２において、「ｃｈ１」〜「ｃｈ４」と示した縦列に夫々配列された操作子群が、各々の属する各チャンネルｃｈ１〜ｃｈ４におけるパラメータ調整を担うパラメータ設定用操作子であり、図２では、便宜上、チャンネルｃｈ１に属するパラメータ設定用操作子についてのみ符号を付している。図２に示すように、チャンネルｃｈ１には、入力端子の選択用操作子群１０（図１参照）として、４つのボタン式操作子が設けられている。個々の操作子は夫々入力端子Ｐ１〜Ｐ４に対応しており、操作子の押動に応じてスイッチオン・オフが切り替わる。チャンネルｃｈ１には、スイッチオン状態の操作子に対応する入力端子から映像信号が取り込まれる。個別のチャンネル毎に設けられた入力端子の選択用操作子群１０を用いて、各チャンネルｃｈ１〜ｃｈ４毎に接続する入力端子Ｐ１〜Ｐ４を選択することで、各チャンネルｃｈ１〜ｃｈ４の夫々において、４系統（Ｐ１〜Ｐ４）の映像信号のうちの何れかを任意に選択して取り込むことができる。
なお、この実施例において、ボタン式の操作子は、例えばＬＥＤ等を用いて操作子のオン状態では操作子自体が発光するよう構成されるものとする。操作子のオン状態で操作子自体（ボタン部分）が発光することで、操作者における設定状態の視認性を向上させている。
【００１１】
オン・オフ効果選択スイッチ３１は、第１の機能割り当て用スイッチ群４０にて現在選択されている効果のオン・オフを切り替えるボタン式操作子である。第１の機能割り当て用スイッチ群４０にて選択可能な、すなわちオン・オフ効果選択スイッチ３１によって設定される機能（映像信号に与える効果）としては、例えば、ネガ・ポジ反転機能や、カラー・白黒切り替え機能等がある。操作者は、各チャンネルｃｈ１〜ｃｈ４毎に設けられた各オン・オフ効果選択スイッチ３１によって、第１の機能割り当て用スイッチ群４０で選択した機能を付与するか否かを、個別のチャンネル毎に設定できる。
【００１２】
画像配置調整操作子３２は、表示装置２６の画面上における映像信号の配置位置、表示サイズ等に関するパラメータ値を設定するためのダイヤル（つまみ）式操作子であり、これは図１における画像配置制御部１２に対応する。第２の機能割り当て用スイッチ群４１には、表示装置２６の画面上に当該チャンネルの映像信号を表示させる際の配置位置の設定、表示サイズの設定等といった、画面上での映像表示態様に関する機能を選択するボタン式スイッチが複数設置されている。操作者は、各チャンネルｃｈ１〜ｃｈ４毎に設けられた各画像配置調整操作子３２を操作することで、第２の機能割り当て用スイッチ群４１で選択した機能の設定値を、個別のチャンネル毎に調整できる。
【００１３】
図示の通り、パネル上において、各チャンネルｃｈ１〜ｃｈ４毎に設けられたダイヤル式操作子（例えば操作子３２等）の周縁部に沿って、現在設定されているパラメータの設定値に応じた指標を表示するための表示部３２ａが設けられている。表示部３２ａでは、各チャンネルｃｈ１〜ｃｈ４における該当するパラメータの設定値を、指標３２ｂの表示位置により示している。表示部３２ａにおける指標３２ｂの表示は、例えばＬＥＤの発光位置によって行われる。ダイヤル式操作子の操作によりパラメータの設定値が変更されると、行われた操作子の変位に追従してＬＥＤの発光位置が変位する。操作者は、前記ＬＥＤの発光位置により現在のパラメータ設定値を視覚的に認識できる。なお、前述のシーン読み出し機能を実行した際や、第２の機能割り当て用スイッチ群４１によって機能の切り替えを行った場合等には、操作子３２の操作位置と表示部３２ａにおける指標３２ｂの表示位置（つまり実際のパラメータ設定値）とが異なる場合がある。その場合は、操作子３２のつまみを操作して指標３２ｂの表示位置に一致する操作位置まで移動させるものとし、操作位置と表示位置とが一致した時点から、パラメータの変更調整が実施可能となる。なお、こうした表示部は、図示した全てのダイヤル式操作子の各々に対応して設けられている。
【００１４】
連続値設定効果の調整用の操作子３３は、取り込んだ映像信号の、例えば色合い制限や、フレーム数、画素数、分割数等に関するパラメータ値を設定するためのダイヤル式操作子である。第３の機能割り当て用スイッチ群４２には、フレーム数や、画素数、画像分割数、色合いの制限等の各種連続値設定効果に関する機能を選択するボタン式スイッチが複数設置される。操作者は、各チャンネルｃｈ１〜ｃｈ４毎に設けられた各連続値設定効果調整操作子３３を操作することで、第３の機能割り当て用スイッチ群４２で選択した機能の設定値を、個別のチャンネル毎に調整できる。
【００１５】
映像特性の調整用操作子３４は、取り込んだ映像信号の輝度や、明るさ、色合い、等の映像特性に関するパラメータ値を設定するダイヤル式操作子である。第４の機能割り当て用スイッチ群４３には、輝度や、明るさ、色合い、等の映像特性に関する機能を選択するボタン式スイッチが複数設置される。操作者は、各チャンネルｃｈ１〜ｃｈ４毎に設けられた、各映像特性の調整用操作子３４を操作することで、第４の機能割り当て用スイッチ群４３で選択した機能の設定値を、個別のチャンネル毎に調整できる。
【００１６】
映像映しこみレベル調整用の操作子１３は、当該チャンネル（便宜上ｃｈ１）から出力される映像信号の映しこみレベル（出力レベル）を設定するフェーダ式操作子である。操作者は、各チャンネルｃｈ１〜ｃｈ４毎に設けられた、各映像映しこみレベル調整操作子１３を操作することで、個別のチャンネル毎に映像映しこみレベルを調整できる。これにより、例えば、スルー出力モードでは複数チャンネルの映像信号を画面上に重複して映し出すときに、個々のチャンネルの映像信号の映しこみレベル（例えば映像濃度等）を調整できる。
なお、図示の通り、パネル上には、フェーダ式（スライド式）操作子のスライド方向に沿って、現在の設定値に応じた指標を表示する表示部１３ａが設けられており、上述したダイヤル式操作子の周囲に設けられた表示部と同様に、各チャンネルｃｈ１〜ｃｈ４毎の映しこみレベル設定値を、例えばＬＥＤの発光位置による指標１３ｂで示しており、操作子１３の操作により設定値が変更されると、操作子の変位に追従して指標１３ｂの発光位置が変位する。操作子１３の操作位置と指標１３ｂの表示位置とが異なる場合（例えば前述の「シーン読み出し」を実行した際等）、前記と同様に操作子１３のつまみを操作して、その操作位置が指標表示位置に一致するまで移動させた時点から、パラメータ調整が実施可能となる。
【００１７】
「Ｅｆ  ＡＬＬ」スイッチ２５は、押動操作に応じて「Ｅｆ  ＡＬＬ機能オン」のモードと「Ｅｆ  ＡＬＬ機能オフ」のモードとを切り替える操作子であり、これが図１における対象範囲選択操作子２５に相当する。「Ｅｆ  ＡＬＬ機能オン」のモードでは、前記オン・オフ効果選択スイッチ３１、画像配置調整操作子３２、連続値設定効果の調整用の操作子３３、映像特性の調整用操作子３４、あるいは映像映しこみレベル調整用の操作子１３等のパラメータ設定用操作子によって調整された各種機能のパラメータ設定値が、全チャンネルｃｈ１〜ｃｈ４において一括して調整／変更される。「Ｅｆ  ＡＬＬ機能オン」のモードにおいては、どのチャンネルｃｈ１〜ｃｈ４に設けられたパラメータ設定用操作子を操作しても、他のチャンネルでの同種のパラメータ設定用操作子の設定値に、その変更作用が波及する。すなわち、操作者は、チャンネルｃｈ１〜ｃｈ４のうちの任意の１チャンネルに対応するパラメータ設定用操作子を操作するだけで、他の全てのチャンネルにおけるパラメータを設定できる。具体的に一例をあげると、「Ｅｆ  ＡＬＬ機能オン」のモードにおいて、例えば、チャンネルｃｈ１の映像特性の調整用操作子３４を操作して輝度を或る値に設定すると、他のチャンネルｃｈ２〜ｃｈ４においてもチャンネルｃｈ１と共通な輝度設定が施される。
【００１８】
このミキシング装置の動作概要について簡単に説明する。図３はＣＰＵ１により実行されるメインルーチン処理の一例を示す。このメインルーチンは、ミキシング装置２０の電源が投入されることでスタートし、所定の初期化処理（ステップＳ１）を行った後、パネル設定処理（ステップＳ２）と、映像信号の加工／制御処理（ステップＳ３）を繰り返して実行する。パネル設定処理（ステップＳ２）では、操作パネル上の各種操作子（図２参照）をスキャンして、そのオン・オフや操作量を検出し、その検出結果に基づき各種処理を実行することで、各チャンネルｃｈ１〜ｃｈ４に取り込む映像信号をリアルタイムで適宜切り替えたり、あるいは取り込んだ映像信号に効果付与等を行う。映像信号の加工／制御処理（ステップＳ３）では、パネル設定処理での処理に基づき、複数のチャンネルｃｈ１〜ｃｈ４からの映像信号をミキシングして１台のディスプレイ（表示装置２６）に出力制御する。
【００１９】
次に、図３のステップＳ２で行われる「パネル設定処理」の一例について図４を参照して簡単に説明する。ステップＳ１０では、各チャンネルｃｈ１〜ｃｈ４の入力端子選択用の操作子群１０（図１及び図２参照）が操作されたかどうか判定する。ＹＥＳの場合、入力端子選択用の操作子群１０で行われた選択操作に応じて、チャンネルに対して選択された入力端子Ｐ１〜Ｐ４を接続する（ステップＳ１１）。各入力端子Ｐ１〜Ｐ４からは、夫々異なるアングル、画角サイズ等のビデオ映像が供給される。各チャンネルｃｈ１〜ｃｈ４では、個別に自チャンネルと接続する入力端子Ｐ１〜Ｐ４を選択できる。すなわち、操作者は、チャンネルｃｈ１〜ｃｈ４に取り込まれる映像信号を、各チャンネルｃｈ１〜ｃｈ４に対して任意に割り当てることができる。
【００２０】
ステップＳ１２では、機能割り当て用スイッチ群（図２で符号４０〜４３で示す）が操作されたかどうか判定する。ＹＥＳの場合、操作された機能割り当てスイッチが指定する機能を有効にすることで、対応する調整用の操作子（オンオフ効果の選択操作子３１、または画像配置の調整操作子３２、または連続値設定効果の調整操作子３３、または映像特性の調整操作子３４）に割り当てられた機能を変更する（ステップＳ１３）。前記機能とは、各チャンネルにおいて映像信号に付与される、例えば輝度調整や、ネガ・ポジ反転、サイズ調整等の各種効果である。機能割り当て用スイッチ群によって割り当てられた機能は、全チャンネルｃｈ１〜ｃｈ４に設けられた調整用の操作子に対して有効とされる（言い換えれば、割り当てられた機能は、全チャンネルｃｈ１〜ｃｈ４における各映像信号に対して作用する。但し、その機能のかかり具合は各チャンネル毎に個別に設定されるものである）。また、複数の機能を同時に割り当てできるよう構成してもよく、そのように構成した場合、１つのチャンネルにおける映像信号に対する一度の操作子操作で、複数の機能のオン・オフあるいは設定値調整が可能となる。
【００２１】
ステップＳ１４では、オンオフ効果の選択操作子３１が操作されたかどうか判定する。ＹＥＳの場合、ステップＳ１５では、操作されたオンオフ効果の選択操作子３１が、スイッチオン状態に切り替わるのか、スイッチオフ状態に切り替わるのかを判定し、スイッチオン状態に切り替わる場合は、ステップＳ１６に分岐する。ステップＳ１６では、「Ｅｆ  ＡＬＬ機能オン」モードであるか否かを判定して、ＹＥＳの場合はステップＳ１７に分岐し、該当機能（つまり、前記オンオフ効果の選択操作子３１の操作でスイッチオンされたネガ・ポジ反転等の効果）を、全チャンネルｃｈ１〜ｃｈ４における映像信号に対して作用させる。これにより、各チャンネルｃｈ１〜ｃｈ４に対するネガ・ポジ反転等の効果付与が、１つの操作子の操作によって一括して制御できる。一方、ステップＳ１６がＮＯの場合、ステップＳ１８に分岐して、操作された操作子に対応するチャンネルに対してのみ、該当機能（例えば操作子３１の操作でスイッチオンされたネガ・ポジ反転等の効果）を作用させる。
オンオフ効果の選択操作子３１がスイッチオフ状態に切り替わる場合は、ステップＳ１５からステップＳ１９に分岐する。ステップＳ１９では、「Ｅｆ  ＡＬＬ機能オン」モードであるか否かを判定して、ＹＥＳの場合は、該当機能を全チャンネルｃｈ１〜ｃｈ４においてオフにする（ステップＳ２０）。一方、ステップＳ１９がＮＯの場合は、ステップＳ２１分岐して、操作された操作子に対応するチャンネルに対してのみ該当機能をオフする。
なお、「Ｅｆ  ＡＬＬ機能オン」モードにおいて、或るチャンネル（例えばｃｈ１）に属するオンオフ効果の選択操作子３１が操作されると、全チャンネルのパラメータが一括して制御されることとは、操作された選択操作子のオン／オフ操作状態に、他のチャンネル（ｃｈ２〜ｃｈ４）に属するオンオフ効果の選択操作子のオン／オフ操作状態が追従することである。例えば、操作された操作子がオフからオンに切り替われば、他のチャンネルの操作子は全てオンにセットされる。
【００２２】
ステップＳ２２では、連続値設定効果の調整用の操作子３３が操作されたかどうか判定する。ＹＥＳの場合、先ず、割り当てられている機能（例えば、画像分割数、フレーム数等の効果）の前回設定値と操作された操作子の操作状態が異なっているかどうか判定する（ステップＳ２３）。パラメータの前回設定値と操作された操作子の操作状態が合致していれば（ステップＳ２３でＮＯの場合）、ステップＳ２４に分岐する。ステップＳ２４では、「Ｅｆ  ＡＬＬ機能オン」モードであるか否かを判定して、ＹＥＳの場合は、ステップＳ２５にて、「Ｅｆ  ＡＬＬ機能オン」に基づき、次に述べるような全チャンネルｃｈ１〜ｃｈ４に対するパラメータの一括制御を実施する。
一方、ステップＳ２３にて、パラメータの前回設定値と操作された操作子の操作状態が異なっている場合（ＹＥＳの場合）は、図示の例では、リターンする。操作子の位置と実際のパラメータ設定値とが不一致のときは当該処理をリターンさせていることで、ダイヤル式の操作子の現在操作位置と実際のパラメータ設定値とが異なる場合は、前述したように、操作子が指標の表示位置（実際のパラメータ設定値）まで移動された時点から実質的なパラメータ設定値の変動が開始されるようになっている。
【００２３】
ステップＳ２５では、パラメータの一括制御の一例として、操作者が操作した操作子３３の操作位置に従って、全チャンネルｃｈ１〜ｃｈ４における該当する機能の設定値を設定する。すなわち、操作者が実際にある１つの操作子３３を操作して新規に設定した設定値が、その操作子に対応するチャンネルのみならず、全てのチャンネルｃｈ１〜ｃｈ４に対して一括して適用される。このとき、実際に操作が行われたチャンネルにおいては、パラメータの設定値は操作子の変動に追従して連続的に変化されるが、他のチャンネルにおいて共通に調整されるパラメータの設定値は、前記操作子の変動に追従して連続的に変化するのではなく、実際に操作された操作子によって指示された設定値と同じ値に設定されることで、その変更がなされる。従って、例えば、操作子の操作が行われたチャンネルにおいて、操作子の操作位置と実際のパラメータ設定値とが異なっていた場合は、操作された該操作子が実際のパラメータ設定値の位置まで移動されて実質的なパラメータ設定値の変更が為された後に、他のチャンネルにおいて一斉に設定値の変更が実施される。パラメータの設定値が変更されると、新規に設定された設定値に応じて、全てのチャンネルｃｈ１〜ｃｈ４の表示部（図２参照）の指標表示位置が更新され、新規設定された設定値に対応する表示位置に指標（図２参照）が点灯する。
このように、ダイヤル式の操作子での「Ｅｆ  ＡＬＬ機能オン」モードにおいては、実際に操作された操作子によるパラメータ設定値に基づき、全チャンネルｃｈ１〜ｃｈ４でのパラメータ設定値を変更することで、パラメータ設定値を一括して制御ができる。
【００２４】
一方、ステップＳ２４において、「Ｅｆ  ＡＬＬ機能オフ」モードと判定した場合（ＮＯの場合）は、ステップＳ２６に分岐して、操作者が実際に操作した操作子３３が属するチャンネルに対してのみ、操作子の操作位置に基づくパラメータ設定値の新規設定を行う。パラメータの設定値が変更されると、新規に設定された設定値に応じて表示部（図２参照）の指標表示位置の更新を行う。
【００２５】
画像配置調整操作子３２や、映像特性の調整用操作子３４といった他のダイヤル式操作子が操作された場合も、前記ステップＳ２２〜Ｓ２６と同様な処理が実行されることで、「Ｅｆ  ＡＬＬ機能オン」モードにおける全チャンネルｃｈ１〜ｃｈ４に対する共通したパラメータ設定値の設定や、個別のチャンネル毎の各種パラメータ設定値の設定が行われる。こうした他のダイヤル式操作子に関するパネル設定処理例については、図示及び詳細な説明を省略する。また、映像映しこみレベル調整用の操作子１３のようなフェーダ式操作子の操作においても、「Ｅｆ  ＡＬＬ機能オン」モードによる一括制御を適用しうる。
【００２６】
ステップＳ２７では、Ｅｆ  ＡＬＬスイッチ２５が操作されたかどうか判定し、ＹＥＳの場合は、「Ｅｆ  ＡＬＬ機能オン」又は「Ｅｆ  ＡＬＬ機能オフ」モードの切り替え制御を行う（ステップＳ２８）。図２に示したように、Ｅｆ  ＡＬＬスイッチ２５は、押動操作に応じて順次オン・オフ切り替えされるボタン式スイッチなので、スイッチ２５が操作されると、最前までスイッチオフ状態であったならば「Ｅｆ  ＡＬＬ機能オン」モードに切り替わり、最前までスイッチオン状態であったならば「Ｅｆ  ＡＬＬ機能オフ」モードに切り替わる。パネル上においては、スイッチ２５自体の点灯／消灯によりスイッチオン／オフ状態を視認できる。
【００２７】
ステップＳ２９では、シーン読み出し機能が指示されたどうかを判定し、ＹＥＳの場合はステップＳ３０に分岐する。シーン読み出し機能の実行は、例えば所定のシーン選択操作子の操作によって指示でき、操作者は、該所定のシーン選択操作子によるシーン選択に応じて、記憶部２３に記憶された１乃至複数のシーンの中から任意のシーンデータを選択できる。シーンデータが読み出されると、読み出されたシーンデータに基づき各種パラメータの設定値が変更され、読み出したシーンにおける各操作子の設定状態が再現される。また、シーンデータに基づく各種パラメータ設定値の変更に応じて、パネル上の設定値表示部の表示が更新される。なお、シーン読み出し機能は、記憶部２３から読み出した１シーンデータに基づきパネル設定状態の設定変更を行うものであるが、この他にも、予め設定され読み出し順序に従って複数のシーンを順次切り替えてゆく機能（アルペジエータストリームという）を備えるように構成することもできる。このアルペジエータストリーム機能においては、複数のシーンデータのシークエンス（組み合わせ）を予め設定し、該設定したシークエンスに従って、所定のテンポ信号に基づき発せられたタイミングで連続的にシーンデータの読み出しを行う。これにより、複数のシーンを該テンポ信号の速度で連続して自動的に切り替えることができる。
また、上記以外の何らかの指示が行われた場合（ステップＳ３１のＹＥＳ）、その指示に従う適宜の処理が行われる（ステップＳ３２）。
【００２８】
上述したようなパネル設定処理に基づき、当該ミキシング装置に取り込まれた複数の映像信号に対してミキシング処理が施され、適宜合成されたミキシング済み映像が画面上に表示される。ここで、当該ミキシング装置を用いて行うことができる映像ミキシングの概括について簡単に説明する。当該ミキシング装置では、各チャンネルｃｈ１〜ｃｈ４毎に個別に取り込んだ映像信号に対して、各チャンネル毎に画質制御（輝度、ネガ・ポジ反転等、各種の効果付与）や、画像配置制御を施す。ここで、画像配置制御とは、画面上における個々の映像信号の表示サイズ、表示位置等を設定・制御することであり、例えば複数の映像信号が画面状に表示される際の、個々の映像の画面上での表示バランス等を調整できる。どの入力チャンルからの映像信号を出力するかについては、各チャンネルｃｈ１〜ｃｈ４に具わる映像オン・オフスイッチ１４（図１参照）により信号出力の有無（オン／オフ）を設定することで行える。各チャンネルから出力される映像信号の出力レベル制御は、映像映しこみレベル調整用の操作子１３（図１参照）により適宜制御できる。
複数の映像信号が画面表示される場合は、各チャンネル毎の画像配置制御に基づき個々の映像信号の表示サイズ、表示位置等が決定され、例えば、複数の画像が画面上に適宜分散されて表示されたり、あるいは、複数の映像が画面上で重複して表示されたりする。複数の映像が画面上で重複される場合、当該ミキシング装置では、チャンネル番号が若い映像信号を優先して（ｃｈ１＞ｃｈ２＞ｃｈ３＞ｃｈ４）上に位置させるよう制御している。なお、優先的に上側に表示させるチャンネルの順番を操作者が任意に変更しうるよう構成してもよい。
本発明に従って「Ｅｆ  ＡＬＬ機能オン」モードを用いれば、１つのチャンネルに対して効果付与等のパラメータ設定を行うだけで、上記のようにして表示装置２６の画面上に同時に表示された複数の映像信号に対して一括して共通の効果付与を施すことができる。
【００２９】
図４のステップＳ２５では、「Ｅｆ  ＡＬＬ機能オン」モードにおいて、操作された操作子が指示するパラメータ設定値に、他のチャンネルにおけるパラメータ設定値が設定される例、つまりは、１つのチャンネルで新規に設定されたパラメータ設定値に、他のチャンネルのパラメータ設定値も設定される例を示したが、別の実施態様としては、操作者によって実行された操作変位量の割合に連動して、他のチャンネルにおけるパラメータ設定が変更されるようにしてもよい。この場合は、各チャンネルにおける該当するパラメータの設定値は、実際に設定操作されたチャンネルにおける設定値変化の割合と同じ割合で、変更されることになる。これにより、例えば音声等の音響信号の左右音量ボリュームを制御する場合において、相対的な左右音量バランスを保持したまま、左側音量ボリュームと右側音量ボリュームを一括して制御することができる。なお、このような変化割合に連動した一括制御において、連動変位していくうちにパラメータ設定値の限界値に達してしまったチャンネルについては、その限界値にて設定変更を中止して、この限界値にパラメータ設定値が設定される。なお、このような変化割合に連動した一括制御は、音量等の音響信号に関わるパラメータに限らず各種映像信号に対する効果付与等の各種パラメータにおいても適用できるのは勿論である。
図４のステップＳ２５の更に別の実施態様としては、図４では実際に操作が行われたチャンネルでのみ、パラメータの設定値が操作子の変動に追従して連続的に変化され、他のチャンネルでは、値の設定変更がなされるだけであったが、他のチャンネルでの一括したパラメータ設定もまた実際に操作が行われたチャンネルで操作子の変動動作に連動して（つまり連続的に）変化されてもよい。この場合は、例えば、他のチャンネルでは、パラメータ変更開始時点においては、変位開始すべき設定値（実際に操作されたチャンネルでの現在パラメータ設定値）に一斉にセットされ、その後、操作子の操作変位に連動して設定値変化してもよい。
なお、上述した１つの操作子の操作に連動した全チャンネル一括制御においては、設定値のみが変更され、各操作子の操作位置は不動であるものとしているが、各操作子に適宜の駆動手段を設けて、各チャンネルの操作子がパラメータ変更に連動して変位されるよう構成しても差し支えない。
【００３０】
図４のステップＳ１７又はステップＳ２０では、「Ｅｆ  ＡＬＬ機能オン」モードでは、操作されたオンオフ効果の選択操作子３１のスイッチ操作状態（オン／オフ状態）に、他のチャンネル（ｃｈ２〜ｃｈ４）に属するオンオフ効果の選択操作子のスイッチ操作状態が追従するものとしたが、他の処理例として、任意のチャンネルにおけるスイッチ操作（オン／オフ切り替え）に応じて、他のチャンネルでは、各チャンネル毎にオン／オフの交互切り替えが行われる（スイッチングされる）ようにしてもよい。この場合は、例えば、ｃｈ１のオンオフ効果の選択操作子３１がオン、ｃｈ２、３のオンオフ効果の選択操作子３１がオフ、ｃｈ４のオンオフ効果の選択操作子３１がオンであったときに、「Ｅｆ  ＡＬＬ機能オン」モードにおいてｃｈ１のオンオフ効果の選択操作子３１が操作されてオフされたとすると、ｃｈ２、３のオンオフ効果の選択操作子３１はオンとなり、ｃｈ４のオンオフ効果の選択操作子３１がオフとなることになる。
【００３１】
なお、上述の実施例では、「Ｅｆ  ＡＬＬ機能オン」モードにおいて、１つの操作子の操作に連動して、全てのチャンネルに対するパラメータ設定値の変更が行われる例を示したが、この発明は、全てのチャンネルに対するパラメータ設定値の変更を行う構成に限らず、１つの操作子の操作に連動して複数のチャンネルに対するパラメータ設定値の変更が行われるよう構成されてさえいればよく、例えば「Ｅｆ  ＡＬＬ機能オン」モードが有効となるチャンネルを操作者が任意に選択可能とし、所定の複数のチャンネルにおいて当該「Ｅｆ  ＡＬＬ機能オン」モードを作用させるよう構成してもよい。すなわち、ミキシング装置に具わるｍ個のチャンネルを、適宜グループ化（ｎ個のチャンネルをグループ化）して、そのグループ毎に「Ｅｆ  ＡＬＬ機能オン」モードが作用するように構成してもよい。
【００３２】
なお、上記実施例では、「Ｅｆ  ＡＬＬ機能オン」モードにおいて、実際に操作されたパラメータ設定操作子によって設定されたパラメータ設定値が、他の複数のチャンネルにおけるパラメータ設定値として設定されるものとしたが、この発明の、複数のチャンネルの各々に対応して設けられたパラメータ設定操作子の中のいずれかを操作することによって複数のチャンネルについてのパラメータ設定値を共通化するという技術思想に従えば、例えば、複数のチャンネルの各々に対応して設けられたパラメータ設定操作子の中のいずれかを操作することによって、他のチャンネルにおいて共通に所定の初期設定値が設定されるように構成してもよい。この場合、例えば、操作子が操作されたチャンネルに応じて、他のチャンネルで共通に設定される初期設定値を異ならせてもよい。
【００３３】
なお、上述の実施例では、映像信号をミキシングするためのビデオミキシング装置について説明したが、これに限らず音声信号をミキシングする音声ミキシング装置等、複数の入力信号の信号処理を行う装置であれば、本発明に従う「ＥｆＡＬＬ機能」を適用可能である。また、当該信号処理装置にて処理する入力信号は、ディジタル信号・アナログ信号の何れであっても本発明の実施に差し支えなく、ディジタル信号を処理する場合は、図１のミキシング部１は、コンピュータまたはＤＳＰ等のプロセッサのプログラムの形態で構成してもよい。
【００３４】
【発明の効果】
以上説明した通り、所定の複数のチャンネルを対象にしてパラメータを連動させて調整するか否かの選択を行うための選択操作子（Ｅｆ  ＡＬＬ）により、複数チャンネルのパラメータを任意のチャンネルでの操作子の操作に連動させて調整でき、複数チャンネルにおける同種のパラメータを連動して調整できるようになり、複数のチャンネルに対するパラメータの一括調整を簡便且つ迅速に行えるという優れた効果を奏する。
【図面の簡単な説明】
【図１】この発明に係るビデオミキシング装置のハードウェア構成例を示すブロック図。
【図２】同実施例に係るビデオミキシング装置の操作パネルの外観を示す概略図。
【図３】同実施例に係るビデオミキシング装置におけるメイン処理を示すフローチャート。
【図４】同実施例に係るビデオミキシング装置におけるパネル設定処理の流れの一例を示すフローチャート。
【符号の説明】
１  ミキシング部、２  制御部、Ｐ１〜Ｐ４  入力端子、ｃｈ１〜ｃｈ４  チャンネル、１０  入力端子選択スイッチ、１１  画質制御部、１２  画像配置制御部、１３  映像映しこみレベル調整用操作子、１４  映像オン・オフスイッチ１４、１５  クロスフェーダ割り当てスイッチ、１６Ａ，１６Ｂ  クロスフェード部、２０  ＣＰＵ、２１  ＲＯＭ、２２  ＲＡＭ、２３  記憶部、２４  各種設定操作子（パラメータ調整）、２５  対象範囲選択操作子（Ｅｆ  ＡＬＬスイッチ）、２６  表示装置、３１  オン・オフ効果選択スイッチ、３２  画像配置調整操作子、３３  連続値設定効果の調整用の操作子、３４  映像特性の調整用操作子
【図１】
2004282367.tif 000003
【図２】
2004282367.tif 000004
【図３】
2004282367.tif 000005
【図４】
2004282367.tif 000006